(57)【要約】【課題】容器内に収容されている収容物の視認を可能としつつ、取り付けの容易なスリーブを装着することで不正開封や悪戯を防止する機能を有する容器を提供すること。【解決手段】本体と、開口部周縁に外方へ突出した縁耳部を２つ設けた上蓋とを嵌合し、該縁耳部に契合する欠切孔を有すると共に、下端部の周長の方が上端部の周長よりも短い環体状のスリーブを装着する容器であって、該スリーブを装着された配置において上蓋開口部の周輪または本体側面の少なくともいずれかが該スリーブに当接し、かつ、該欠切孔を該縁耳部に契合することでスリーブを取り外し困難なものとし、もって不正開封防止または悪戯防止機能を持たせる。また、本体と上蓋を透明または半透明の合成樹脂から形成することで収容物の視認性を持たせる。【選択図】　図１
2004035059.tif 000002
【特許請求の範囲】
【請求項１】
開口部周縁に外方に突出した縁耳部を設けた器状の上蓋と器状の本体とを収容手段として備え、本体開口部に対して、該本体開口部よりも径の大きい上蓋開口部を嵌合させて閉蓋させる構成において、該縁耳部と契合する欠切孔を有すると共に、下端部の周長の方が上端部の周長よりも短い環体状のスリーブを備え、該スリーブを装着された配置において上蓋開口部の周輪または本体側面の少なくともいずれかが、該スリーブに当接することを特徴とする容器。
【請求項２】
開口部周縁に外方に突出した縁耳部を設けた器状の本体と器状の上蓋とを収容手段として備え、本体開口部に対して、該本体開口部よりも径の小さい上蓋開口部を嵌合させて閉蓋させる構成において、該縁耳部と契合する欠切孔を有すると共に、下端部の周長の方が上端部の周長よりも長い環体状のスリーブを備え、該スリーブを装着された配置において本体開口部の周輪または上蓋側面の少なくともいずれかが、該スリーブに当接することを特徴とする容器。
【請求項３】
上記スリーブの短周側開口部の周長が、該スリーブの装着された配置において本体周長と略同一である請求項１に記載の容器。
【請求項４】
上記スリーブの短周側開口部の周長が、該スリーブの装着された配置において上蓋周長と略同一である請求項２に記載の容器。
【請求項５】
上記欠切孔は、略四角形であって、該欠切孔の少なくとも一辺に、該一辺に始点を有する少なくとも１つのスリットを設けた請求項１ないし４いずれかに記載の容器。
【請求項６】
上記縁耳部に略Ｕ字状の溝を有する請求項１ないし５いずれかに記載の容器。
【請求項７】
上記上蓋または上記本体が透明または半透明の合成樹脂によって形成される請求項１ないし６いずれかに記載の容器。
【請求項８】
上記スリーブを装着した容器における全表面積のうち上記スリーブによって被覆される面積が、該全表面積の５０パーセントを越えない、請求項１ないし７いずれかに記載の容器。
【請求項９】
上記スリーブが紙から形成される請求項１ないし８いずれかに記載の容器。
【請求項１０】
上記スリーブに切離または破断可能な切取線を設けた請求項１ないし９いずれかに記載の容器。
【請求項１１】
上記容器が、食品を収容するために用いられる容器である請求項１ないし１０いずれかに記載の容器。
【発明の詳細な説明】
【０００１】
【発明の属する技術分野】
本発明は、不正開封防止機能を有する容器に関するもので、本体とこれに嵌合する上蓋並びに環体状のスリーブから構成されるものである。
【０００２】
【従来の技術】
従来の不正開封防止機能を持たせた容器としては多様なものがあるが、例えばパフェ状のアイスクリーム用容器の場合では、不透明の包装材で容器全体を覆うか、円筒状丸形容器に紙類で形成された包装材である角形スリーブを被せる構造であり、該丸形容器のフランジ径が角形スリーブの一辺よりも大きく、角形スリーブに設けられた欠切孔に該フランジ部が契合するようになっているのが一般的であった。
【０００３】
【発明が解決しようとする課題】
このような従来技術では、角形スリーブを被せるか包装材で覆ってしまうために容器内に収容されている飲食物の状態がよく見えない、スリーブの取り付けが難しいといった不都合があった。また、フランジ部を撓ませたりスリーブを拡げたりすることでフランジ部とスリーブの契合部を取り外すことが必ずしも困難ではなかったので、該容器の不正開封防止や悪戯防止には必ずしも効果的とはいえなかった。
【０００４】
本発明は、上記従来の容器における問題点を解決し、容器内に収容されている収容物の視認を可能としつつ不正開封や悪戯を防止する機能を有する容器を提供することを課題とする。即ち、包装材で容器全体を覆うことなく、取り外しの困難なスリーブを容器に装着して不正開封または悪戯を困難ならしめるものである。
【０００５】
【課題を解決するための手段】
本発明は上記課題の解決を図るため、次の手段を用いる。
開口部周縁に外方に突出した縁耳部を設けた器状の上蓋と器状の本体とを収容手段として備え、本体開口部に対して、該本体開口部よりも径の大きい上蓋開口部を嵌合させて閉蓋させる構成において、該縁耳部と契合する欠切孔を有すると共に、下端部の周長の方が上端部の周長よりも短い環体状のスリーブを備え、該スリーブを装着された配置において上蓋開口部の周輪または本体側面の少なくともいずれかが、該スリーブに当接することを特徴とする容器とする。また、該スリーブの短周側開口部の周長が、該スリーブの装着された配置において本体周長と略同一である容器としてもよい。
このような構造とすることで、ひとたびスリーブを装着すると、該スリーブが所定の位置に留まり、該スリーブを容易に取り外すことができなくなる。
【０００６】
開口部周縁に外方に突出した縁耳部を設けた器状の本体と器状の上蓋とを収容手段として備え、本体開口部に対して、該本体開口部よりも径の小さい上蓋開口部を嵌合させて閉蓋させる構成において、該縁耳部と契合する欠切孔を有すると共に、下端部の周長の方が上端部の周長よりも長い環体状のスリーブを備え、該スリーブを装着された配置において本体開口部の周輪または上蓋側面の少なくともいずれかが、該スリーブに当接することを特徴とする容器としてもよい。また、該スリーブの短周側開口部の周長が、該スリーブの装着された配置において上蓋周長と略同一である容器としてもよい。
このような構造とすることで、ひとたびスリーブを装着すると、該スリーブが所定の位置に留まり、該スリーブを容易に取り外すことができなくなる。
【０００７】
上記欠切孔を、略四角形として、該欠切孔の少なくとも一辺に、該一辺に始点を有する少なくとも１つのスリットを設けた容器としてもよい。
これによって、スリーブを装着する作業において、縁耳部に該欠切孔を契合することが容易になる。
【０００８】
上記縁耳部に略Ｕ字状の溝を有する容器としてもよい。
これによって、欠切孔の一辺が該Ｕ字状溝に引っ掛かることで、いっそうスリーブの容器からの取り外しが困難となる。
【０００９】
上蓋または本体が透明または半透明の合成樹脂によって形成される容器としてもよい。
これによって、該容器に収容されている収容物の状態が一目にして明瞭となる。
【０００１０】
上記スリーブを装着した容器における全表面積のうち上記スリーブによって被覆される面積が、該全表面積の５０パーセントを越えない容器としてもよい。
このような構造とすることで、容器がスリーブに覆われているという印象を与えないので、容器とスリーブとの全体的なバランスからデザイン性に優れたものとなる。特に、上蓋または本体が透明または半透明の合成樹脂によって形成される場合に、容器内の収容物が容易に視認できる。また、合成樹脂を可撓性を有するものとすることで、縁耳部とスリーブとの契合を容易にし、容器の衝撃耐性を向上させることができる。
【００１１】
上記スリーブを紙から形成してもよい。
これによって、軽量かつ安価で装着の容易なスリーブとなる。また、色彩溢れる印刷も可能となるため、本発明の容器が商品販売用として用いられる場合には、他商品との差別化が図れるので、販売促進効果を有することとなる。
【００１２】
上記スリーブに切離または破断可能な切取線を設けてもよい。
これによって、小さな力でも容易にスリーブを容器から取り外すことができる。
【００１３】
本発明による容器は、不正開封防止機能を持つことから特に食品類を収納するのに最適である。
【００１４】
【発明の実施の形態】
本発明は、本体とこれに嵌合する上蓋および環体状のスリーブから構成される容器であって、本体または上蓋の周縁部に設けた縁耳部に契合する欠切孔を設けたスリーブを装着することで、本体から上蓋が不用意に外れて容器内に収容された収容物が外部に出ることを防止するとともに、ひとたび契合すれば容易には取り外せない構造とすることで、開封しようとすればスリーブを破るなどの不可逆的変形を伴うようにして、該容器に対する不正開封や悪戯がなされるのを防止する。
【００１５】
開口部周縁に外方に突出した縁耳部を設けた器状の上蓋と器状の本体とを収容手段として備え、かつ、該縁耳部と契合する欠切孔を有し、下端部の周長の方が上端部の周長よりも短い環体状のスリーブを備える容器であって、本体開口部に対して、該本体開口部よりも径の大きい上蓋開口部を嵌合させて閉蓋させる構成において、上蓋開口部の周輪または本体側面の周輪の少なくともいずれかが、該スリーブを装着された配置において該スリーブに当接する容器にあっては、該スリーブを容器下方から嵌挿して該縁耳部に該欠切孔を契合すると、該スリーブは容器上方へ抜けることも容器下方にずり落ちることもなく所定の位置に留まる。開口部周縁に外方に突出した縁耳部を設けた器状の本体と器状の上蓋とを収容手段として備え、かつ、該縁耳部と契合する欠切孔を有し、下端部の周長の方が上端部の周長よりも長い環体状のスリーブを備える容器であって、本体開口部に対して、該本体開口部よりも径の小さい上蓋開口部を嵌合させて閉蓋させる構成において、本体開口部の周輪または上蓋側面の周輪の少なくともいずれかが、該スリーブを装着された配置において該スリーブに当接する容器にあっては、該スリーブを容器上方から嵌挿して該縁耳部に該欠切孔を契合すると、該スリーブは容器上方へ抜けることも容器下方にずり落ちることもなく所定の位置に留まる。また、スリーブに設けた欠切孔にスリットを設けることで、縁耳部との契合が容易になり、さらに、該縁耳部に設けたＵ字状溝に該欠切孔のスリット部が引っ掛かることで、スリーブがよりいっそう取り外し困難なものとなる。
【００１６】
【実施例】
以下、本発明の実施例を図面に基づいて説明するが、以下の具体例は本発明を限定するものではない。
図１に、本発明による容器の正面図、図２に、スリーブを装着していない状態の容器の正面図、図３（イ）に、開封後のスリーブの斜視図、図３（ロ）に、切離後の切離片の正面図、図４に、本体の正面図、図５（イ）に、上蓋の平面図、図５（ロ）に、上蓋の正面断面図、図６に、スリーブの展開平面図、図７に、スリーブの斜視図を示す。
本実施例の容器に収容される収容物としてはアイスパフェ、ラクトアイス、アイスクリーム等の冷菓を想定したものであるが、これらに限定するものではない。
【００１７】
本発明による容器（Ａ）は、本体（ａ）とこれに嵌合して閉蓋する上蓋（ｂ）およびスリーブ（ｃ）から構成されるもので、本体（ａ）と上蓋（ｂ）はいずれも可撓性合成樹脂から形成される。本体（ａ）は、略円筒器状の本体下部と、該本体下部の開口部の径と略同一の径の一端開口部と該本体下部の開口部の径よりも大きい径の他端開口部を有する略円筒状である本体上部とが、略同一の径を有する各開口部において連続一体として形成された、縊れ部（４）を有する略漏斗形状の構造となっている。また、本体（ａ）には、上げ底（８）が形成される。上蓋（ｂ）は、略円筒器状の構造である。
本発明による容器（Ａ）は、図示の例では、本体（ａ）に、本体（ａ）の開口部の径よりも大きい径の開口部を有する上蓋（ｂ）を嵌合し閉蓋した収容体（Ｂ）の下方からスリーブ（ｃ）を嵌挿するようにしているが、逆に、本体（ａ）に、本体（ａ）の開口部の径よりも小さい径の開口部を有する上蓋（ｂ）を嵌合し閉蓋した収容体（Ｂ）の上方からスリーブ（ｃ）を嵌挿するようにしてもよい。可撓性合成樹脂は、不透明でも透明でもよいが、該容器（Ａ）が特に飲食物を販売するための商品販売用として用いられる場合には、該飲食物の状態が外部から容易に視認できるためにも、透明または半透明であることが好ましい。
【００１８】
上蓋（ｂ）の凹型嵌合面（２）に対して、本体（ａ）のフランジ部（１）を嵌合して嵌合部（３）を形成する。本体（ａ）のフランジ部（１）は、本体（ａ）の開口部（９）の周端を外方に拡げさらに本体（ａ）側に折り返す構造であり曲面を形成している。本体（ａ）に凹型嵌合面を設け、上蓋（ｂ）にフランジ部を設けてもよい。
該嵌合部は、上蓋（ｂ）の凹型嵌合面（２）に本体（ａ）のフランジ部（１）を嵌めるだけの構造であることと、本体（ａ）と上蓋（ｂ）を可撓性合成樹脂によって形成することが相まって、繰り返し嵌合が可能となっている。また、フランジ部（１）を曲面形状としていることで滑りやすくなり嵌合が容易になる。
【００１９】
上蓋（ｂ）の開口部（１０）は、その周端を外方に延伸しさらに略直角に反り返らせることによってＵ字状の溝（１５）を有するフランジ部（５）を形成している。また、フランジ部（５）において、上蓋（ｂ）の開口部（１０）の直径の両端に当たる位置に１つずつ、上蓋（ｂ）の開口部（１０）から外方へ突出する縁耳部（６ａ）（６ｂ）を設ける。即ち、該縁耳部（６ａ）（６ｂ）は、フランジ部（５）の一部が外方に突出して径が大きくなった構造でＵ字状の溝（１５）を有している。縁耳部の配置個数は２つに限定するものではなく、多数個あってもよい。
【００２０】
さらに、縁耳部（６ａ）（６ｂ）上方の上蓋（ｂ）の側壁部に、該縁耳部（６ａ）（６ｂ）を挟み込むように２つずつ側壁凸部（１６）（１６ａ）（１７）（１７ａ）を設けてあり、これによって、上蓋（ｂ）の強度を適度に保持している。加えて、上蓋（ｂ）の開口部（１０）近傍で凹型嵌合面（２）の直下方の上蓋（ｂ）側壁部分に、本体（ａ）と上蓋（ｂ）の繰り返し嵌合に耐えるだけの適度な強度を持たせるために開口部凸部（１８ａ）（１８ｂ）（１８ｃ）（１８ｄ）（１８ｅ）（１８ｆ）（１８ｇ）（１８ｈ）を設けている。
【００２１】
スリーブ（ｃ）は、厚紙で形成される。スリーブ（ｃ）は、図７に示すように組み立てると下端開口部の径よりも上端開口部の径が長い環体状の構造となるもので、組み立てる前の展開構造は、図６に示すように組み立てる際に接着面となる部分（１９）を有する略扇状のものである。また、縁耳部（６ａ）（６ｂ）に契合する欠切孔（１１ａ）（１１ｂ）を設け、さらに、欠切孔（１１ａ）（１１ｂ）の上方の開口部周縁を外方に張り出して補強張出部（２１ａ）（２１ｂ）を設けてある。
このような構造とすることで、スリーブとしての適切な強度と欠切孔（６ａ）（６ｂ）の周囲の強度を保持することができるとともに、スリーブをシュリンクフィルムとした場合に比較して、組み立て前の展開した状態のスリーブ表面は平面なので、該平面に容易に且つ綺麗に商品の特徴を示す印刷を施すことができる。
【００２２】
また、スリーブ（ｃ）の短周開口部の径は、本体（ａ）の縊れ部（４）の近傍における本体（ａ）下部の所定位置（７）の径に略同一で、縁耳部（６ａ）（６ｂ）に契合する欠切孔（１１ａ）（１１ｂ）が位置するスリーブ（ｃ）の周囲の径が上蓋（ｂ）の開口部（１０）の径に略同一となっている。
このような構造とすることで、スリーブ（ｃ）を収容体（Ｂ）の下方から嵌めると、スリーブ（ｃ）は収容体（Ｂ）における所定の位置、つまり、スリーブ（ｃ）の下端開口部が本体（ａ）の縊れ部（４）の近傍の所定位置（７）に当接し、さらにスリーブ（ｃ）が上蓋（ｂ）の開口部（１０）と当接する位置で留まることになる。
本体（ａ）上部の形状によっては、本体（ａ）上部の側壁がスリーブ（ｃ）に当接することになる。また、本体（ａ）上部の側壁に突起を設けて、該突起がスリーブ（ｃ）に当接して、より安定してスリーブ（ｃ）が所定位置（７）で留まるようにしてもよい。
【００２３】
欠切孔（１１ａ）（１１ｂ）は、略四角形の形状であり、スリーブ（ｃ）の上方開口部側の一辺（２３ａ）（２３ｂ）に、該各一辺（２３ａ）（２３ｂ）を始点として各５本のスリット（２０ａ）（２０ｂ）を設けている。各５本のスリット（２０ａ）（２０ｂ）のうち中央のスリットは他のスリットよりも長いものとなっている。図示の例では、スリット（２０ａ）（２０ｂ）は該各一辺（２３ａ）（２３ｂ）に対して直角に設けられているが、これに限定することなく、該各一辺（２３ａ）（２３ｂ）に対して斜めに設けてもよい。スリーブ（ｃ）における欠切孔（１１ａ）（１１ｂ）の設置位置は、スリーブ（ｃ）を収容体（Ｂ）に装着したときに縁耳部（６ａ）（６ｂ）を契合できる位置であり、且つ、スリット（２０ａ）（２０ｂ）を設けた欠切孔の一辺（２３ａ）（２３ｂ）が、縁耳部（６ａ）（６ｂ）のＵ字状の溝（１５）に嵌まる位置とする。
欠切孔（１１ａ）（１１ｂ）の形状は、略四角形に限定するものでもなく、半月状の形状であってもよい。
このような構造とすることで、スリーブ（ｃ）を収容体（Ｂ）の下方から嵌める際に、スリット（２０ａ）（２０ｂ）を設けた欠切孔の一辺（２３ａ）（２３ｂ）に縁耳部（６ａ）（６ｂ）が当たると、スリット（２０ａ）（２０ｂ）が拡開し欠切孔の一辺（２３ａ）（２３ｂ）が少し押し広がることができるので、スリーブ（ｃ）を収容体（Ｂ）に装着しやすくなる。また、少し押し広がった欠切孔の一辺（２３ａ）（２３ｂ）は、スリーブ（ｃ）装着後直ぐに元に戻ってフランジ部（５）のＵ字状の溝（１５）に引っ掛かることで、スリーブ（ｃ）を容易に取り外すことができなくなる。
【００２４】
また、欠切孔（１１ａ）（１１ｂ）の略中間部に切離部である切り込みの入った切離片（１３）を設ける。切り込みは、ミシン目などの破断線でもよい。
切離片（１３）は、欠切孔（１１ａ）（１１ｂ）の略中間部ではなく、いずれか１つの欠切孔を含むように設けてもよいが、欠切孔周囲の強度を保持する上でも欠切孔（１１ａ）（１１ｂ）の略中間部に設けるのが好ましい。また、スリーブ（ｃ）は、厚紙で形成されているため、小さな力でも切離片（１３）に指先を引っかけて手前に引っ張るようにしながら下方に引きちぎることができる。
【００２５】
【発明の効果】
請求項１または２によると、本体と、開口部周縁に外方へ突出した縁耳部を２つ設けた上蓋とを嵌合し、該縁耳部に契合する欠切孔を設けた環体状のスリーブを装着することによって嵌合部を略固定するか、あるいは、上蓋と、開口部周縁に外方へ突出した縁耳部を２つ設けた本体とを嵌合し、該縁耳部に契合する欠切孔を設けた環体状のスリーブを装着することによって嵌合部を略固定することで、不用意に上蓋と本体が解離して容器に収容された収容物が外部に出ることがない。
【００２６】
また、本体と、開口部周縁に外方へ突出した縁耳部を２つ設けた上蓋とを嵌合して閉蓋した収容体に、該縁耳部に契合する欠切孔を設けた環体状のスリーブを収容体下方から装着する構成においては、上蓋開口部の周輪または本体側面の少なくともいずれかがスリーブに当接することで、スリーブの装着される位置が決まること、あるいは、上蓋と、開口部周縁に外方へ突出した縁耳部を２つ設けた本体とを嵌合して閉蓋した収容体に、該縁耳部に契合する欠切孔を設けた環体状のスリーブを収容体上方から装着する構成においては、本体開口部の周輪または上蓋側面の少なくともいずれかがスリーブに当接することで、スリーブの装着される位置が決まることとなり、ひとたびスリーブを装着すると、該スリーブが所定の位置に留まり、該スリーブを容易に取り外すことができなくなる。
【００２７】
さらに、請求項３または４によると、スリーブの短周側開口部の周長が、該スリーブの装着された配置において本体ないし上蓋の周長と略同一とすることで、よりいっそう安定して該スリーブが容器における所定の位置に留まることになる。
【００２８】
請求項５および６によると、スリーブを収容体に嵌める際に、スリットを設けた欠切孔の一辺に縁耳部が当たると、スリットが拡開して欠切孔の一辺が少し押し広がることができるので、スリーブを収容体に装着しやすくなる。さらに、スリーブの欠切孔の一部を縁耳部に設けたＵ字状の溝に引っ掛けることが相まって、スリーブを毀損等する以外には容器から容易に取り外しができなくなり、容器に対する不正開封や悪戯を防止することができる。
【００２９】
請求項７および８によると、本体と上蓋の少なくともいずれかを透明ないし半透明にすることで、容器に収容される収容物の色、品質、量、鮮度といった状態を一見にして知ることができる上に、容器を商品販売用に使用する場合には、消費者に容器に収容される商品に対する安心感を与え、さらには消費者の購入意欲をより一層向上させることにもなる。また、デザイン性にも優れたものとなる。
【００３０】
請求項９によると、スリーブを紙類で形成した環体状の構造とすることで、環体状に組み立てる前の展開構造におけるスリーブの表面部分に容易に印刷をすることが可能になる上に、容器を商品販売用に使用する場合には、該表面部分に商品宣伝コピーや絵柄を印刷することで、他商品との差別化や見栄えの向上を図ることができ、販売促進効果が得られる。
【００３１】
請求項１０によると、スリーブを紙類で形成し切離または破断可能な切取線を設けることで、小さな力でも容易にスリーブを容器から取り外すことが可能となる。
【００３２】
請求項１１によると、本発明による容器を食品用容器として用いた場合、不正開封防止機構が備わっているので、容器に収容されている食品に対する安全性が期待できる。
【図面の簡単な説明】
【図１】本発明による容器の正面図
【図２】スリーブを装着していない状態の容器の正面図
【図３】（イ）は開封後のスリーブの斜視図、（ロ）は切離後の切離片の正面図
【図４】本体の正面図
【図５】（イ）は上蓋の平面図、（ロ）は上蓋の正面断面図
【図６】スリーブの展開平面図
【図７】スリーブの斜視図
【符号の説明】
Ａ　　　容器
Ｂ　　　収容体
ａ　　　本体
ｂ　　　上蓋
ｃ　　　スリーブ
１　　　フランジ部
２　　　凹型嵌合面
３　　　嵌合部
５　　　フランジ部
６ａ　　縁耳部
６ｂ　　縁耳部
１１ａ　　欠切孔
１１ｂ　　欠切孔
１３　　　切離片
１５　　　Ｕ字状の溝
２０ａ　　スリット
２０ｂ　　スリット
【図１】
2004035059.tif 000003
【図２】
2004035059.tif 000004
【図３】
2004035059.tif 000005
【図４】
2004035059.tif 000006
【図５】
2004035059.tif 000007
【図６】
2004035059.tif 000008
【図７】
2004035059.tif 000009